(57)【要約】【課題】記録に失敗した光ディスクに対して追記録を可能にし、記録失敗時より最適な記録ができる光ディスク装置を提供する。【解決手段】光ヘッドのパラメータと位置を制御して光ディスクへの記録データの記録に失敗したとステップＳ３で判定した場合に、光ディスクの記録領域のうちで未だデータの記録が行われていない未記録領域をステップＳ７で検出し、検出した未記録領域を使用してステップＳ８でテスト記録して記録失敗時の記録制御情報より適正に記録できる適正記録調整情報を検出し、これをステップＳ９で光ディスクにおいて予め決められた特殊領域に記録するので、特殊領域の記録内容に基づいて記録データの記録を実行することによって、記録の信頼性が向上する。【選択図】図２
2008041170.tif 000002
【特許請求の範囲】
【請求項１】
光ヘッドのパラメータと位置を制御して光ディスクに対してデータの記録を行う光ディスク装置であって、
前記光ディスクへの記録データの記録に失敗した場合に前記光ディスクの記録領域のうちで未だデータの記録が行われていない未記録領域を検出する検出手段と、
前記検出した未記録領域を使用してテスト記録して記録失敗時の記録制御情報より適正に記録できる適正記録調整情報の検出を実行する記録調整手段と、
前記適正記録調整情報を前記光ディスクにおいて予め決められた特殊領域に記録するとともに、後の記録の際には前記特殊領域の記録内容に基づいて前記光ディスクの未記録領域へのデータの記録を実行するように構成した記録制御手段と
を設けた光ディスク装置。
【請求項２】
光ヘッドのパラメータと位置を制御して光ディスクに対してデータの記録を行う光ディスク装置であって、
未記録の光ディスクあるいは追記録が可能な記録済み光ディスクでは無いと判定された場合に前記光ディスクの記録領域のうちで未だデータの記録が行われていない未記録領域を検出する検出手段と、
前記検出した未記録領域を使用してテスト記録して記録失敗時の記録制御情報より適正に記録できる適正記録調整情報の検出を実行する記録調整手段と、
前記適正記録調整情報を前記光ディスクにおいて予め決められた特殊領域に記録するとともに、後の記録の際には前記特殊領域の記録内容に基づいて前記光ディスクの未記録領域へのデータの記録を実行するように構成した記録制御手段と
を設けた光ディスク装置。
【請求項３】
前記記録調整手段は、
前記検出した未記録領域を使用して記録失敗時のフォーカスバランス値、フォーカスオフセット値、トラッキングバランス値、トラッキングオフセット値、半径方向上で光ディスク面に対して光ヘッドの距離を調整するチルト値等の少なくとも何れかのパラメータを変更してテスト記録するように構成した
請求項１または請求項２記載の光ディスク装置。
【請求項４】
前記記録制御手段は、
前記テスト記録を行った終端位置情報および適正記録調整情報を前記特殊領域に記録するよう構成した
請求項１または請求項２記載の光ディスク装置。
【請求項５】
光ヘッドのパラメータと位置を制御して光ディスクに対してデータの記録を行う光ディスク装置であって、
前記光ディスクへの記録データの記録に失敗した場合に前記光ディスクの記録領域のうちで未だデータの記録が行われていない未記録領域を検出する検出手段と、
前記検出した未記録領域を使用してテスト記録して記録失敗時の記録制御情報より適正に記録できる適正記録調整情報の検出を実行する記録調整手段と、
前記適正記録調整情報を記録に失敗した光ディスクの種類に対応させてメモリに記録するとともに、後の同種の光ディスクへの記録の際には前記メモリの記録内容に基づいて前記光ディスクの未記録領域へのデータの記録を実行するように構成した記録制御手段と
を設けた光ディスク装置。
【請求項６】
光ヘッドのパラメータと位置を制御して光ディスクに対してデータの記録を行う光ディスク装置であって、
未記録の光ディスクあるいは追記録が可能な記録済み光ディスクでは無いと判定された場合に前記光ディスクの記録領域のうちで未だデータの記録が行われていない未記録領域を検出する検出手段と、
前記検出した未記録領域を使用してテスト記録して記録失敗時の記録制御情報より適正に記録できる適正記録調整情報の検出を実行する記録調整手段と、
前記適正記録調整情報を記録に失敗した光ディスクとは別のメモリに記録するとともに、後の記録の際には前記メモリ記録内容に基づいて前記光ディスクの未記録領域へのデータの記録を実行するように構成した記録制御手段と
を設けた光ディスク装置。
【請求項７】
光ヘッドのパラメータと位置を制御して光ディスクへの記録データの記録に失敗した場合に、前記光ディスクの記録領域のうちで未だデータの記録が行われていない未記録領域を検出し、
前記検出した未記録領域を使用してテスト記録して記録失敗時の記録制御情報より適正に記録できる適正記録調整情報を検出し、これを前記光ディスクにおいて予め決められた特殊領域に記録し、
前記特殊領域の記録内容に基づいて前記光ディスクの未記録領域への記録データの記録を実行する
光ディスク装置制御方法。
【請求項８】
未記録の光ディスクあるいは追記録が可能な記録済み光ディスクでは無いと判定された場合に、前記光ディスクの記録領域のうちで未だデータの記録が行われていない未記録領域を検出し、
前記検出した未記録領域を使用してテスト記録して記録失敗時の記録制御情報より適正に記録できる適正記録調整情報を検出し、
前記適正記録調整情報を前記光ディスクにおいて予め決められた特殊領域に記録するとともに、後の記録の際には前記特殊領域の記録内容に基づいて前記光ディスクの未記録領域への記録データの記録を実行する
光ディスク装置制御方法。
【請求項９】
前記光ディスクへの記録データの記録に失敗した場合に前記光ディスクの記録領域のうちで未だデータの記録が行われていない未記録領域を検出し、
前記検出した未記録領域を使用してテスト記録して記録失敗時の記録制御情報より適正に記録できる適正記録調整情報の検出を実行し、
前記適正記録調整情報を記録に失敗した光ディスクの種類に対応させてメモリに記録するとともに、後の同種の光ディスクへの記録の際には前記メモリの記録内容に基づいて前記光ディスクの未記録領域へのデータの記録を実行する
光ディスク装置制御方法。
【請求項１０】
未記録の光ディスクあるいは追記録が可能な記録済み光ディスクでは無いと判定された場合に前記光ディスクの記録領域のうちで未だデータの記録が行われていない未記録領域を検出し、
前記検出した未記録領域を使用してテスト記録して記録失敗時の記録制御情報より適正に記録できる適正記録調整情報の検出し、
前記適正記録調整情報を記録に失敗した光ディスクとは別のメモリに記録するとともに、後の記録の際には前記メモリ記録内容に基づいて前記光ディスクの未記録領域へのデータの記録を実行する
光ディスク装置制御方法。
【発明の詳細な説明】
【技術分野】
【０００１】
光ディスクに記録データを書き込む光ディスク装置制御方法に関するものである。
【背景技術】
【０００２】
記録データを光ディスクに記録する場合には、記録データとは別に、リードイン情報とリードアウト情報が前記光ディスクに記録されている。しかし、リードイン情報とリードアウト情報の記録が一部でも欠如した場合には正常な再生を実施できないため、未記録領域を残したまま廃棄処分されている。
【０００３】
特許文献１には、記録に失敗した光ディスクに対して新たなリードイン情報を記録すると共に、特殊領域にリードイン情報を記録した位置のデータを記録するものが示されている。
【特許文献１】特開２００３−２８１７３５号公報（図３）
【発明の開示】
【発明が解決しようとする課題】
【０００４】
特許文献１の方式では、記録に必要な記録パラメータ、例えば、フォーカスバランス値、フォーカスオフセット値、トラッキングバランス値、トラッキングオフセット値、半径方向上で光ディスク面に対して光ヘッドの距離を調整するチルト値等を記録失敗時と同じ値（状態）で使用するため、次回記録時に同じように記録失敗する可能性がある。また、記録失敗時に使用していた光ディスクで再度記録を行った場合にも同じように記録失敗する可能性もある。
【０００５】
本発明は、より信頼性の高い記録性能の光ディスク装置制御方法を提供することを目的とする。
【課題を解決するための手段】
【０００６】
本発明の光ディスク装置は、光ヘッドのパラメータと位置を制御して光ディスクに対してデータの記録を行う光ディスク装置であって、前記光ディスクへの記録データの記録に失敗した場合に前記光ディスクの記録領域のうちで未だデータの記録が行われていない未記録領域を検出する検出手段と、前記検出した未記録領域を使用してテスト記録して記録失敗時の記録制御情報より適正に記録できる適正記録調整情報の検出を実行する記録調整手段と、前記適正記録調整情報を前記光ディスクにおいて予め決められた特殊領域に記録するとともに、後の記録の際には前記特殊領域の記録内容に基づいて前記光ディスクの未記録領域へのデータの記録を実行するように構成した記録制御手段とを設けたことを特徴とする。
【０００７】
また、本発明の光ディスク装置は、光ヘッドのパラメータと位置を制御して光ディスクに対してデータの記録を行う光ディスク装置であって、未記録の光ディスクあるいは追記録が可能な記録済み光ディスクでは無いと判定された場合に前記光ディスクの記録領域のうちで未だデータの記録が行われていない未記録領域を検出する検出手段と、前記検出した未記録領域を使用してテスト記録して記録失敗時の記録制御情報より適正に記録できる適正記録調整情報の検出を実行する記録調整手段と、前記適正記録調整情報を前記光ディスクにおいて予め決められた特殊領域に記録するとともに、後の記録の際には前記特殊領域の記録内容に基づいて前記光ディスクの未記録領域へのデータの記録を実行するように構成した記録制御手段とを設けたことを特徴とする。
【０００８】
また、本発明の光ディスク装置は、光ヘッドのパラメータと位置を制御して光ディスクに対してデータの記録を行う光ディスク装置であって、前記光ディスクへの記録データの記録に失敗した場合に前記光ディスクの記録領域のうちで未だデータの記録が行われていない未記録領域を検出する検出手段と、前記検出した未記録領域を使用してテスト記録して記録失敗時の記録制御情報より適正に記録できる適正記録調整情報の検出を実行する記録調整手段と、前記適正記録調整情報を記録に失敗した光ディスクの種類に対応させてメモリに記録するとともに、後の同種の光ディスクへの記録の際には前記メモリの記録内容に基づいて前記光ディスクの未記録領域へのデータの記録を実行するように構成した記録制御手段とを設けたことを特徴とする。
【０００９】
また、本発明の光ディスク装置は、光ヘッドのパラメータと位置を制御して光ディスクに対してデータの記録を行う光ディスク装置であって、未記録の光ディスクあるいは追記録が可能な記録済み光ディスクでは無いと判定された場合に前記光ディスクの記録領域のうちで未だデータの記録が行われていない未記録領域を検出する検出手段と、前記検出した未記録領域を使用してテスト記録して記録失敗時の記録制御情報より適正に記録できる適正記録調整情報の検出を実行する記録調整手段と、前記適正記録調整情報を記録に失敗した光ディスクとは別のメモリに記録するとともに、後の記録の際には前記メモリ記録内容に基づいて前記光ディスクの未記録領域へのデータの記録を実行するように構成した記録制御手段とを設けたことを特徴とする。
【００１０】
本発明の光ディスク装置制御方法は、光ヘッドのパラメータと位置を制御して光ディスクへの記録データの記録に失敗した場合に、前記光ディスクの記録領域のうちで未だデータの記録が行われていない未記録領域を検出し、前記検出した未記録領域を使用してテスト記録して記録失敗時の記録制御情報より適正に記録できる適正記録調整情報を検出し、これを前記光ディスクにおいて予め決められた特殊領域に記録し、前記特殊領域の記録内容に基づいて前記光ディスクの未記録領域への記録データの記録を実行することを特徴とする。
【００１１】
また、本発明の光ディスク装置制御方法は、未記録の光ディスクあるいは追記録が可能な記録済み光ディスクでは無いと判定された場合に、前記光ディスクの記録領域のうちで未だデータの記録が行われていない未記録領域を検出し、前記検出した未記録領域を使用してテスト記録して記録失敗時の記録制御情報より適正に記録できる適正記録調整情報を検出し、前記適正記録調整情報を前記光ディスクにおいて予め決められた特殊領域に記録するとともに、後の記録の際には前記特殊領域の記録内容に基づいて前記光ディスクの未記録領域への記録データの記録を実行することを特徴とする。
【００１２】
また、本発明の光ディスク装置制御方法は、前記光ディスクへの記録データの記録に失敗した場合に前記光ディスクの記録領域のうちで未だデータの記録が行われていない未記録領域を検出し、前記検出した未記録領域を使用してテスト記録して記録失敗時の記録制御情報より適正に記録できる適正記録調整情報の検出を実行し、前記適正記録調整情報を記録に失敗した光ディスクの種類に対応させてメモリに記録するとともに、後の同種の光ディスクへの記録の際には前記メモリの記録内容に基づいて前記光ディスクの未記録領域へのデータの記録を実行することを特徴とする。
【００１３】
また、本発明の光ディスク装置制御方法は、未記録の光ディスクあるいは追記録が可能な記録済み光ディスクでは無いと判定された場合に前記光ディスクの記録領域のうちで未だデータの記録が行われていない未記録領域を検出し、前記検出した未記録領域を使用してテスト記録して記録失敗時の記録制御情報より適正に記録できる適正記録調整情報の検出し、前記適正記録調整情報を記録に失敗した光ディスクとは別のメモリに記録するとともに、後の記録の際には前記メモリ記録内容に基づいて前記光ディスクの未記録領域へのデータの記録を実行することを特徴とする。
【発明の効果】
【００１４】
本発明は、記録失敗時の記録に必要な記録パラメータ、例えば、フォーカスバランス値、フォーカスオフセット値、トラッキングバランス値、トラッキングオフセット値、半径方向上で光ディスク面に対して光ヘッドの距離を調整するチルト値等を変更してテスト記録し、記録失敗時の記録制御情報より適正に記録できる適正記録調整情報の検出を実行して記録を行うため、また、その調整結果をメモリに保存することにより、次回記録時に同じ光ディスクを使用した場合、その光ディスクに対して、最適な調整値を使用して記録できる。
【発明を実施するための最良の形態】
【００１５】
以下、本発明の光ディスク装置制御方法を、具体的な各実施の形態に基づいて説明する。
（実施の形態１）
図１〜図３は本発明の実施の形態１の光ディスク装置を示す。
【００１６】
図１に示す光ディスク装置は、光ヘッド１０、スピンドルモータ１１、ＲＦアンプ１２、サーボ回路１３、アドレス検出回路１４、デコーダ１５、制御部１６、エンコーダ１７、ストラテジ回路１８、レーザドライバ１９、レーザパワー制御回路２０、エンベロープ検出回路２２を備えている。
【００１７】
スピンドルモータ１１は、光ディスクＤを回転駆動するためのモータである。光ヘッド１０は、レーザダイオード、レンズやミラー等の光学系、および戻り光の受光素子を一体として有するユニットである。光ディスクＤに対してデータの記録を行う場合、あるいは光ディスクＤに記録されたデータの再生を行う場合、光ヘッド１０は、レーザ光を光ディスクＤに対して照射し、光ディスクＤからの戻り光を受光する。光ヘッド１０は、受光信号であるＥＦＭ（Eight to Fourteen Modulation）変調されたＲＦ信号をＲＦアンプ１２に出力する。また、光ヘッド１０は、モニタダイオードを有し、光ディスクＤの戻り光によってモニタダイオードに電流が流れると、この電流量に対応する信号をレーザパワー制御回路２０に供給する。
【００１８】
ＲＦアンプ１２は、データの再生時においては、光ヘッド１０から供給されるＥＦＭ変調されたＲＦ信号を増幅し、増幅後のＲＦ信号をサーボ回路１３、デコーダ１５などに出力する。また、データの記録時においては、光ヘッド１０から供給される、レーザ光の光ディスクＤからの反射光に係る信号をサーボ回路１３、アドレス検出回路１４などに出力する。
【００１９】
デコーダ１５は、データの再生時において、ＲＦアンプ１２から供給されるＥＦＭ変調されたＲＦ信号をＥＦＭ復調して再生データを生成する。アドレス検出回路１４は、データの記録時において、ＲＦアンプ１２から供給される信号からウォブル信号成分を抽出し、ウォブル信号成分に含まれる光ディスク位置を表すアドレス時間情報を復号し、制御部１６に出力する。サーボ回路１３は、スピンドルモータ１１の回転制御、光ヘッド１０におけるフォーカス制御、トラッキング制御等を行う。サーボ回路１３は、制御部１６から供給される所定の制御信号に基づき、スピンドルモータ１１等に対する駆動信号を供給する。
【００２０】
制御部１６は、光ディスク装置を運転するためのファームウェアなどが書き込まれたメモリ２６と、前記ファームウェアを実行するマイクロコンピュータ２７とを主要部として構成されている。
【００２１】
更に詳しくは、マイクロコンピュータ２７は、メモリ２６に記録されたファームウェアに従い、光ディスク装置の各部を制御し、データ記録を行うためのフォーカスサーボ機構の制御、トラッキングサーボ機構の制御、記録パワー値の制御、スピンドルモータ１１の駆動制御などを行う。
【００２２】
エンコーダ１７は、供給される記録データをＥＦＭ変調し、ストラテジ回路１８に出力する。ストラテジ回路１８は、エンコーダ１７から供給されたＥＦＭ信号に時間軸補正処理などを行い、レーザドライバ１９に出力する。レーザドライバ１９は、ストラテジ回路１８から供給される記録データに応じて変調された信号と、レーザパワー制御回路２０の制御にしたがって、光ヘッド１０のレーザダイオードを駆動する。
【００２３】
エンベロープ検出回路２２は、データの記録時において、記録対象となる光ディスクＤの未記録領域を検出するための回路である。
制御部１６は、セットされた光ディスクＤから読み取ったメーカーコードなどに基づいて、光ヘッド１０のフォーカスバランス値、フォーカスオフセット値、トラッキングバランス値、トラッキングオフセット値、光ディスク１０の半径方向上で光ディスク面に対して光ヘッド１０の距離を調整するチルト値等のパラメータを読み出して初期設定を実行する機能を有する記憶制御手段２３と、光ディスクＤの記録領域のうちで未だデータの記録が行われていない未記録領域を検出する機能を有する検出手段２４と、光ディスクＤに対してテスト記録する機能を有している記録調整手段２５を有している。
【００２４】
図２は制御部１６による光ディスク装置の記録時のフローチャートである。
ステップＳ１では、セットされた光ディスクにアクセスして読み出した光ディスクメーカーのコードに基づいて、制御部１６のメモリ２６のファームウェアから記録に際して必要な情報、例えば、フォーカスバランス値、フォーカスオフセット値、トラッキングバランス値、トラッキングオフセット値、半径方向上で光ディスク面に対して光ヘッドの距離を調整するチルト値等の各パラメータのデフォルト値を取得して記録初期設定を実行する。
【００２５】
ステップＳ２ではステップＳ１での記録初期設定に基づいて光ディスクへのデータ記録を開始する。この記録の途中で記録動作を失敗しているかどうかをステップＳ３で判定する。記録の途中で記録動作を失敗していないと判定した場合には、ステップＳ４において、記録動作を終了するかどうかを判定し、記録動作を終了しない場合には、ステップＳ２に戻って記録動作を繰り返す。ステップＳ４において記録動作を終了する場合は、ステップＳ５において、所定の記録終了に必要な処理を行い、記録を終了する。
【００２６】
ステップＳ３において記録動作を失敗していると判定した場合には、ステップＳ６〜ステップＳ９のルーチンを実行する。
ステップＳ６では、記録動作を失敗したその記録で使用していた記録に必要な情報、例えば、フォーカスバランス値、フォーカスオフセット値、トラッキングバランス値、トラッキングオフセット値、半径方向上で光ディスク面に対して光ヘッド１０の距離を調整するチルト値等を取得する。
【００２７】
ステップＳ７では、光ディスクにおいて未だ記録が行われていない未記録領域を検出する。具体的にはＲＦ信号にエンベロープの状態を検出することにより記録領域と未記録領域の境界位置、すなわち未記録領域の先頭位置を検出する。
【００２８】
ステップＳ８では、ステップＳ７において検出した未記録領域の先頭位置より、前記取得したフォーカスバランス値、フォーカスオフセット値、トラッキングバランス値、トラッキングオフセット値、半径方向上で光ディスク面に対して光ヘッドの距離を調整するチルト値等の値を中央にして、各パラメータを変更しながら、予め決められた任意のセクタ長だけ記録し、この記録した領域の再生品位を確認するためＢＥＲ（ビットエラーレート）測定を行う。この最終記録位置を終端位置情報で表している。また、最終記録位置は未記録の最初の位置でもある。
【００２９】
ステップＳ９では、ステップＳ８において適正と判定された、例えば最良の記録パラメータの情報を光ディスクの特殊領域に記録する。
ここで光ディスクの特殊領域とは、予め決められた所定領域をいい、例えば光ディスクの最内周領域の一部、あるいは、光ディスクの最外周領域の一部等が予め割り当てられている。
【００３０】
以後の記録に際しては、前記特殊領域の内容を確認して、書き込みがある場合には前記ファームウェアに登録されているデフォルトのパラメータではなくて、前記特殊領域の内容に基づくパラメータで記録を開始するように、制御部１６が構成されている。この場合の制御部１６のフローチャートを図３に示す。
【００３１】
ステップＳ１１では、セットされた光ディスクの前記特殊領域の再生を行う。
ステップＳ１２では、ステップＳ１１で再生した特殊領域に情報が記録されているかどうかを判定し、特殊領域が記録されていないと判定した場合には、ステップＳ１３において光ディスクＤに対して、フォーカスバランス値、フォーカスオフセット値、トラッキングバランス値、トラッキングオフセット値、半径方向上で光ディスク面に対して光ヘッドの距離を調整するチルト値等のパラメータを、前記ファームウェアのデフォルト値にセットして記録データの通常の記録処理を実行する。
【００３２】
ステップＳ１２で特殊領域に記録されていると判定した場合には、特殊領域に記録されている記録に必要な情報、例えば、フォーカスバランス値、フォーカスオフセット値、トラッキングバランス値、トラッキングオフセット値、半径方向上で光ディスク面に対して光ヘッドの距離を調整するチルト値等のパラメータと記録調整の終端位置情報をステップＳ１４で取得する。ステップＳ１５では、光ディスクＤの未記録領域を検出して、ステップＳ１６ではステップＳ１４で取得した値のパラメータに基づき、ステップＳ１５で検出した未記録位置からデータの記録を行う。例えば、リードイン情報、データ、リードアウト情報の記録を行う。
【００３３】
このように、記録を失敗して従来では書き込むことのできなかった光ディスクＤに対して、ステップＳ６〜ステップＳ９のルーチンを実行して適正な各記録パラメータを光ディスクＤの特殊領域に書き込むので、この特殊領域に書き込まれた適正な各記録パラメータで記録を実行することによって、光ディスクＤへの記録の信頼性を保証できる。また、記録に失敗した光ディスクを再使用できる。
【００３４】
（実施の形態２）
この実施の形態は、別の光ディスク装置において記録に失敗した光ディスクがセットされた場合に、その記録に失敗した光ディスクから最適な記録を実行するための前記パラメータを学習して特殊領域に取り込む場合を示している。
【００３５】
実施の形態１ではステップＳ２でのデータ記録時にステップＳ３で記録が失敗した状態が発生した場合にステップＳ６〜ステップＳ９を実行して記録できるように構成したが、この実施の形態２では、セットされた光ディスクＤが、未記録の光ディスクあるいは追記録が可能な記録済み光ディスクでは無いと判定された場合に、前記特殊領域に適正な各記録パラメータの書き込みを実施するように前記記憶制御手段２３と、検出手段２４と、記録調整手段２５を構成することによって、別の光ディスク装置で記録に失敗した光ディスクであっても記録することができる。
【００３６】
この実施の形態の検出手段２４は、未記録の光ディスクあるいは追記録が可能な記録済み光ディスクでは無いと判定された場合に前記光ディスクの記録領域のうちで未だデータの記録が行われていない未記録領域を検出するよう構成されている。
【００３７】
具体的には、図４に示すように、ステップＳ２１において、セットされた光ディスクが、データの記録ができる光ディスクかどうかを判定し、記録できない光ディスクであると判定した場合には、ステップＳ２２では、光ディスクＤにおいて未だ記録が行われていない未記録領域を検出する。つまり、ＲＦ信号にエンベロープの状態を検出することにより記録領域と未記録領域の境界位置、すなわち未記録領域の先頭位置を検出する。
【００３８】
ステップＳ２３では、ステップＳ２２で検出した未記録領域の先頭位置より、記録に必要な情報、例えば、フォーカスバランス値、フォーカスオフセット値、トラッキングバランス値、トラッキングオフセット値、半径方向上で光ディスク面に対して光ヘッドの距離を調整するチルト値等の値を、初期設定値を中央にして、各パラメータを変更しながら、予め決められた任意のセクタ長だけ記録し、この記録した領域の再生品位を確認するためＢＥＲ（ビットエラーレート）測定を行う。
【００３９】
ステップＳ２４では、ステップＳ２３において適正と判定された、例えば最良の記録パラメータの情報を光ディスクの前記特殊領域に記録する。
また、ステップＳ２１において、記録可能な光ディスクであると判定した場合には、ステップＳ２５において従来の記録方法によって記録を行う。
【００４０】
（実施の形態３）
記録に失敗した光ディスクに対して、実施の形態１または実施の形態２のようにして特殊領域に書き込んだ前記パラメータを使用して記録できるように構成した前記制御部１６には、記録制御手段２３と記録調整手段２５などで図５に示す再生処理ルーチンが構成されている。
【００４１】
ステップＳ３１では、セットされた光ディスクの前記特殊領域の再生を行う。
ステップＳ３２では、ステップＳ３１で再生した特殊領域に情報が記録されているかどうかを判定し、特殊領域が記録されていないと判定した場合には、ステップＳ３３において光ディスクＤに対して、フォーカスバランス値、フォーカスオフセット値、トラッキングバランス値、トラッキングオフセット値、半径方向上で光ディスク面に対して光ヘッドの距離を調整するチルト値等のパラメータを、前記ファームウェアのデフォルト値にセットして記録データの通常の再生処理を実行する。
【００４２】
ステップＳ３２で特殊領域に記録されていると判定した場合には、ステップＳ３４で前記特殊領域から各パラメータと前記終端位置情報を読み出す。ステップＳ３５では、ステップＳ３４で取得した各パラメータに基づいて光ヘッド１０を設定して前記終端位置情報で示される位置からの再生処理を実行する。
【００４３】
このように、記録に失敗した同じ光ディスクに対して、その後に記録した記録データも、ステップＳ３２〜ステップＳ３５を実行することによって、正常に再生できる。
（実施の形態４）
図６は本発明の実施の形態４を示す。
【００４４】
上記の実施の形態１の図２では、記録に失敗した同じ光ディスクの特殊領域に適正な記録を実行するためのパラメータを記録したが、この実施の形態４では、記録に失敗した光ディスクと同じ規格の新たな光ディスクに対して記録データの正常な記録ができるように、メモリ２６を使用している点だけが異なっている。
【００４５】
ステップＳ４１では、セットされた光ディスクにアクセスして読み出した光ディスクメーカーのコードに基づいて、メモリ２６のファームウェアから記録に際して必要な情報、例えば、フォーカスバランス値、フォーカスオフセット値、トラッキングバランス値、トラッキングオフセット値、半径方向上で光ディスク面に対して光ヘッドの距離を調整するチルト値等の各パラメータのデフォルト値を取得して記録初期設定を実行する。
【００４６】
ステップＳ４２ではステップＳ１での記録初期設定に基づいて光ディスクへのデータ記録を開始する。この記録の途中で記録動作を失敗しているかどうかをステップＳ４３で判定する。記録の途中で記録動作を失敗していないと判定した場合には、ステップＳ４４において、記録動作を終了するかどうかを判定し、記録動作を終了しない場合には、ステップＳ４２に戻って記録動作を繰り返す。ステップＳ４４において記録動作を終了する場合は、ステップＳ４５において、所定の記録終了に必要な処理を行い、記録を終了する。
【００４７】
ステップＳ４３において記録動作を失敗していると判定した場合には、ステップＳ４６〜ステップＳ４９のルーチンを実行する。
ステップＳ４６では、記録動作を失敗したその記録で使用していた記録に必要な情報、例えば、フォーカスバランス値、フォーカスオフセット値、トラッキングバランス値、トラッキングオフセット値、半径方向上で光ディスク面に対して光ヘッド１０の距離を調整するチルト値等を取得する。
【００４８】
ステップＳ４７では、光ディスクにおいて未だ記録が行われていない未記録領域を検出する。具体的にはＲＦ信号にエンベロープの状態を検出することにより記録領域と未記録領域の境界位置、すなわち未記録領域の先頭位置を検出する。
【００４９】
ステップＳ４８では、ステップＳ７において検出した未記録領域の先頭位置より、前記取得したフォーカスバランス値、フォーカスオフセット値、トラッキングバランス値、トラッキングオフセット値、半径方向上で光ディスク面に対して光ヘッドの距離を調整するチルト値等の値に基づいて、パラメータの振りながら、任意のセクタ長を記録し、（  ＝  値を中央にして、各パラメータを変更しながら、予め決められた任意のセクタ長だけ記録し、）この記録した領域の再生品位を確認するためＢＥＲ（ビットエラーレート）測定を行う。
【００５０】
ステップＳ４９では、ステップＳ４８において適正と判定された、例えば最良の記録パラメータの情報、具体的には、ステップＳ４８で記録調整を行った終端位置情報及び記録調整情報を、セットされている光ディスクＤの光ディスクメーカーのコードに対応してメモリ２６に記録する。
【００５１】
このように構成したため、記録に失敗した光ディスクと同じ規格の別の光ディスクがセットされた場合には、ステップＳ４１において過去に記録を失敗した際にステップＳ４９で書き込んだ最適なパラメータを読み出してステップＳ４２を実行し、正常な記録データの記録を実現できる。
【００５２】
（実施の形態５）
実施の形態４ではステップＳ４２でのデータ記録時にステップＳ４３で記録が失敗した状態が発生した場合にステップＳ４６〜ステップＳ４９を実行して同一規格の別の光ディスクに記録できるように構成したが、この実施の形態５では、セットされた光ディスクＤが、未記録の光ディスクあるいは追記録が可能な記録済み光ディスクでは無いと判定された場合に、この実施の形態５は、別の光ディスク装置において記録に失敗した光ディスクがセットされた場合に、その記録に失敗した光ディスクから最適な記録を実行するための前記パラメータを学習してメモリ２６に取り込むように前記記憶制御手段２３と、検出手段２４と、記録調整手段２５が構成されている。
【００５３】
具体的には、図７に示すように、ステップＳ５１において、光ディスクがセットされた光ディスクが、データの記録ができる光ディスクかどうかを判定し、記録できない光ディスクであると判定した場合には、ステップＳ５２では、光ディスクＤにおいて未だ記録が行われていない未記録領域を検出する。つまり、ＲＦ信号にエンベロープの状態を検出することにより記録領域と未記録領域の境界位置、すなわち未記録領域の先頭位置を検出する。
【００５４】
ステップＳ５３では、ステップＳ５２で検出した未記録領域の先頭位置より、記録に必要な情報、例えば、フォーカスバランス値、フォーカスオフセット値、トラッキングバランス値、トラッキングオフセット値、半径方向上で光ディスク面に対して光ヘッドの距離を調整するチルト値等の値を、初期設定値を中央にして、各パラメータを変更しながら、予め決められた任意のセクタ長だけ記録し、この記録した領域の再生品位を確認するためＢＥＲ（ビットエラーレート）測定を行う。
【００５５】
ステップＳ５４では、ステップＳ５３において適正と判定された、例えば最良の記録パラメータの情報を、セットされている光ディスクＤの光ディスクメーカーのコードに対応してメモリ２６に記録する。
【００５６】
また、ステップＳ５１において、記録可能な光ディスクであると判定した場合には、ステップＳ５５において従来の記録方法によって記録を行う。
【産業上の利用可能性】
【００５７】
本発明は記録に失敗した光ディスクに対して適正な状態で記録することができ、品質が多様化している光ディスクに対応して記録データの書き込み性能を自動的に更新することができ、光ディスク装置の高性能化、ならびに光ディスク装置を搭載した各種機器の高信頼性化に寄与できる。
【図面の簡単な説明】
【００５８】
【図１】本発明の光ディスク装置の構成図
【図２】本発明の実施の形態１の制御部のフローチャート図
【図３】記録に失敗した情報を、以後の記録時に記録する場合の制御部のフローチャート図
【図４】本発明の実施の形態２の光ディスク装置に、他の光ディスク装置において記録失敗した光ディスクがセットされた場合のフローチャート図
【図５】本発明の実施の形態３の光ディスク装置の制御部の再生処理のフローチャート図
【図６】本発明の実施の形態４の制御部のフローチャート図
【図７】本発明の実施の形態５の制御部のフローチャート図
【符号の説明】
【００５９】
Ｄ    光ディスク
１０    光ヘッド
１６    制御部
２３    検出手段
２４    記録制御手段
２５    記録調整手段
２６    メモリ
２７    マイクロコンピュータ
【図１】
2008041170.tif 000003
【図２】
2008041170.tif 000004
【図３】
2008041170.tif 000005
【図４】
2008041170.tif 000006
【図５】
2008041170.tif 000007
【図６】
2008041170.tif 000008
【図７】
2008041170.tif 000009